(57)【要約】      （修正有）【課題】屋上スラブと立上り壁のコンクリートを同時に打設して、立上り壁を構築するにあたり、屋上浮き型枠を上方からの荷重に対して安定した状態に支持することができ、下端を排水勾配に合わせて傾斜した形状に作製しなくても、立上り壁と屋上スラブとの角部に型枠跡の溝が形成されない。【解決手段】屋上浮き型枠１の内面に当接可能な垂直板部とその下端から内側に直角に折れ曲った水平板部とからなるＬ字状を呈し、前記垂直板部及び水平板部に固定具挿入用横孔及び縦孔が形成された足元固定用打ち込み型枠Ａを作製する。屋上浮き型枠の下端部をその垂直板部に締付け固定し、その水平板部を屋上スラブ用型枠５に上下方向の固定具１８によりスラブ厚に対応する間隔を隔てて支持させた状態で、屋上スラブと立上り壁のコンクリートとを同時に打設し、コンクリートの硬化後、屋上浮き型枠を足元固定用打ち込み型枠から取り外す。【選択図】図２
2010144389.tif 000002
【特許請求の範囲】
【請求項１】
屋上スラブと屋上スラブから立ち上がった平面視方形状の立上り壁のコンクリートを同時に打設するにあたり、屋上スラブ用型枠の上方にスラブ厚に対応する間隔を隔てて配置される立上り壁用の屋上浮き型枠を屋上スラブ用型枠に支持させるための足元固定用打ち込み型枠であって、平面視方形状で、且つ、屋上浮き型枠の内面に当接可能な垂直板部とその下端から内側に直角に折れ曲った水平板部とからなる断面Ｌ字状で、前記垂直板部には屋上浮き型枠の下端部を着脱自在に取り付けるための固定具挿入用横孔が形成され、前記水平板部には当該水平板部を屋上スラブ用型枠に固定するための固定具挿入用縦孔が形成されてなる屋上浮き型枠の足元固定用打ち込み型枠。
【請求項２】
請求項１に記載の屋上浮き型枠の足元固定用打ち込み型枠を用いた防水層の端部処理構造の構築方法であって、内面に、平面視方形状で、縦断面形状に於いて、水平上壁と、その内奥部から下方へ垂下される垂下壁と、この垂下壁の下端から前方へ下端ほど低位となる傾斜壁とを一体に備え、傾斜壁の四隅外面には面取りを施してなる防水処理用打ち込み型枠が取り付けられた平面視方形状の屋上浮き型枠の下端部を足元固定用打ち込み型枠の垂直板部に取り付け、且つ、足元固定用打ち込み型枠の水平板部を屋上スラブ用型枠にスラブ厚に対応する間隔を隔てて固定した状態で、屋上スラブ用のコンクリートと立上り壁用のコンクリートとを同時に打設し、当該コンクリートの硬化後、屋上浮き型枠を足元固定用打ち込み型枠から取り外して、防水処理用打ち込み型枠を露出させ、屋上スラブに敷設した防水層の立上り部を防水処理用打ち込み型枠の傾斜壁の表面から更に垂下壁の表面を覆うように設置し、防水層の立上り部の端縁を垂下壁の上端と水平上壁の内奥部の下面との隅角部に水密状態に固定することを特徴とする防水層の端部処理構造の構築方法。
【発明の詳細な説明】
【技術分野】
【０００１】
本発明は、屋上スラブ用型枠の上方にスラブ厚に対応する間隔を隔てて配置される平面視方形状の立上り壁用の屋上浮き型枠を屋上スラブ用型枠に支持させるための足元固定用打ち込み型枠と、それを用いた防水層の端部処理構造の構築方法に関する。
【背景技術】
【０００２】
例えば、屋上スラブを貫通して設けられる配管を引き込むための設備配管引き込み用上屋や、避雷針やテレビアンテナを固定する基礎などのような屋上スラブから立ち上がった立上り壁においては、屋上スラブに敷設された屋上防水層は立上り壁の壁面に沿って立ち上げられ、立上り壁に形成されている突出部（所謂アゴ）の下に防水層立上り部の端部を挿入した状態にシール処理される。また、多くの場合、この突出部（アゴ）の下面には水切り溝が形成される。
【０００３】
しかし、コンクリートの現場打ちによる突出部（アゴ）の成形には煩雑な型枠工事が必要とされ、脱型の際に水切り溝を形成する桟木を脱型し忘れたり、突出部（アゴ）の成形用型枠が小型かつ複雑な形状であるため、脱型後、他に転用できず、廃材として廃棄せねばならない等々、多くの問題を有していた。
【０００４】
本発明者らは、このような突出部（アゴ）の成形に起因する諸問題を解決できる防水処理用打ち込み型枠とそれを用いた防水層の端部処理構造を開発し、特願２００７−３３０３２４として、既に提案している。この防水処理用打ち込み型枠Ｂは、ガラス繊維補強セメント（ＧＲＣ）を素材とする成形品であり、図７に示すように、平面視方形状で、図８に示すように、縦断面形状に於いて、水平上壁７と、その内奥部から下方へ垂下される垂下壁８と、この垂下壁８の下端から前方へ下端ほど低位となる傾斜壁９とを一体に備え、傾斜壁９の四隅外面に面取り９ａを施してなる。
【０００５】
そして、この防水処理用打ち込み型枠Ｂを、図９、図１０に示すように、外側型枠１００の内面にセパレータ１５ａとフォームタイ１６ａで固定し、外側型枠１００を屋上スラブに立設した内側型枠６にセパレータ１５ｂとフォームタイ１６ｂで固定し、外側型枠１００と内側型枠６の間にコンクリートを打設し、図１１に示すように、コンクリートの硬化後、脱型、モルタルのコテ押え等による表面仕上げ２１、防水層２２の施工の工程を経て、図１１に示すような防水層の端部処理構造を構築することができる。１３は屋上スラブの補強鉄筋、１４は立上り壁の補強鉄筋である。
【０００６】
しかし、先に提案した特願２００７−３３０３２４の発明においては、屋上スラブと屋上スラブから立ち上がった立上り壁のコンクリートを同時に打設する場合に、次のような問題が発生し、改良の余地があった。
【０００７】
即ち、屋上スラブＣと屋上スラブＣから立ち上がった平面視方形状の立上り壁Ｄのコンクリートを同時に打設する場合、図１２に示すように、内側型枠６は屋上スラブ用型枠５に直接立てることができるが、防水処理用打ち込み型枠Ｂが取り付けられる外側型枠１００は、屋上スラブ用型枠５の上方にスラブ厚に対応する間隔を隔てて配置される屋上浮き型枠１とされ、水平方向のセパレータ１５ｂやフォームタイ１６ｂで内側型枠６に支持されることになる。
【０００８】
従って、屋上浮き型枠１が上方からの荷重に対して不安定であり、屋上浮き型枠１を安
定した状態に支持するためには、数多くのセパレータ１５ｂやフォームタイ１６ｂを必要とした。しかも、屋上スラブＣの上面には排水勾配が付けられているので、屋上浮き型枠１の下端縁を排水勾配に合わせて傾斜した形状に作製しないと、図１３に示すように、立上り壁Ｄと屋上スラブＣとの角部の水上側に型枠下端が嵌り込んだ溝（型枠跡）Ｅが形成されることになり、屋上スラブＣの手直しが必要とされた。勿論、この問題は、屋上浮き型枠１の下端を予め排水勾配に合わせて傾斜した形状に作製することによって回避できるが、この場合、型枠の作製、組立がかなり面倒なものとなる。
【０００９】
尚、特許文献２には、セメント系組成物によって、突出部（アゴ）形状のものを予め作製し、これをパラペットなどの立上り壁の側面にボルトナットで後付する技術が記載されている。この手法によれば、従来のように突出部形成のための複雑な型枠が不要で、現場での型枠形成における労務と時間、更にはコストが軽減されるが、新たに突出部形成のためのセメント系組成物の取り付けという労務が発生する。しかも、立上り壁とセメント系組成物との接合面から雨水などが浸透する危惧があり、立上り壁とセメント系組成物との接合にシーリングが必要になるなど、新たな作業も発生し、全体としては必ずしも労務、時間、コストの軽減にはならないという問題がある。
【００１０】
【特許文献１】特願２００７−３３０３２４
【特許文献２】特開平７−６２８１９号公報
【発明の開示】
【発明が解決しようとする課題】
【００１１】
本発明は、上述した問題点を踏まえてなされたものであって、その目的とするところは、屋上スラブと屋上スラブから立ち上がった立上り壁のコンクリートを同時に打設して、防水処理用打ち込み型枠が埋め込まれた立上り壁を構築するにあたり、屋上浮き型枠を上方からの荷重に対して安定した状態に支持することができ、しかも、屋上浮き型枠の下端を予め排水勾配に合わせて傾斜した形状に作製しなくても、立上り壁と屋上スラブとの角部の水上側に型枠下端が嵌まり込んだ溝が形成されず、屋上スラブの手直しが不要となるようにすることにある。
【課題を解決するための手段】
【００１２】
以上の技術的な課題を解決するために、本発明が講じた技術手段は次の通りである。即ち、請求項１に記載の発明による屋上浮き型枠の足元固定用打ち込み型枠は、屋上スラブと屋上スラブから立ち上がった平面視方形状の立上り壁のコンクリートを同時に打設するにあたり、屋上スラブ用型枠の上方にスラブ厚に対応する間隔を隔てて配置される立上り壁用の屋上浮き型枠を屋上スラブ用型枠に支持させるための足元固定用打ち込み型枠であって、平面視方形状で、且つ、屋上浮き型枠の内面に当接可能な垂直板部とその下端から内側に直角に折れ曲った水平板部とからなる断面Ｌ字状で、前記垂直板部には屋上浮き型枠の下端部を着脱自在に取り付けるための固定具挿入用横孔が形成され、前記水平板部には当該水平板部を屋上スラブ用型枠に固定するための固定具挿入用縦孔が形成されてなるものである。
【００１３】
請求項２に記載の発明は、請求項１に記載の屋上浮き型枠の足元固定用打ち込み型枠を用いた防水層の端部処理構造の構築方法であって、内面に、平面視方形状で、縦断面形状に於いて、水平上壁と、その内奥部から下方へ垂下される垂下壁と、この垂下壁の下端から前方へ下端ほど低位となる傾斜壁とを一体に備え、傾斜壁の四隅外面には面取りを施してなる防水処理用打ち込み型枠が取り付けられた平面視方形状の屋上浮き型枠の下端部を足元固定用打ち込み型枠の垂直板部に取り付け、且つ、足元固定用打ち込み型枠の水平板部を屋上スラブ用型枠にスラブ厚に対応する間隔を隔てて固定した状態で、屋上スラブ用のコンクリートと立上り壁用のコンクリートとを同時に打設し、当該コンクリートの硬化
後、屋上浮き型枠を足元固定用打ち込み型枠から取り外して、防水処理用打ち込み型枠を露出させ、屋上スラブに敷設した防水層の立上り部を防水処理用打ち込み型枠の傾斜壁の表面から更に垂下壁の表面を覆うように設置し、防水層の立上り部の端縁を垂下壁の上端と水平上壁の内奥部の下面との隅角部に水密状態に固定することを特徴としている。
【発明の効果】
【００１４】
請求項１に記載の発明によれば、屋上スラブ用型枠の上方にスラブ厚に対応する間隔を隔てて配置される立上り壁用の屋上浮き型枠の下端部を足元固定用打ち込み型枠の垂直板部にセパレータ等の固定具で当接状態に締め付け固定し、足元固定用打ち込み型枠の水平板部を固定具挿入用縦孔に挿入された上下方向のセパレータ等の固定具によって屋上スラブ用型枠に支持された状態に取り付けるので、屋上浮き型枠を上方からの荷重に対して安定した状態に支持することができる。
【００１５】
しかも、屋上スラブ及び立上り壁のコンクリートが硬化した後、足元固定用打ち込み型枠を残置させた状態で屋上浮き型枠を解体撤去するので、屋上浮き型枠としては、下端を予め排水勾配に合わせて傾斜させた形状に作製しなくても、立上り壁と屋上スラブとの角部の水上側に型枠跡の溝が形成されず、屋上スラブの手直しが不要となる。
【００１６】
請求項２に記載の発明によれば、内面に防水処理用打ち込み型枠を取り付ける屋上浮き型枠としては、下端を予め排水勾配に合わせて傾斜させた形状に作製しなくても、立上り壁と屋上スラブとの角部の水上側に型枠跡の溝が形成されず、屋上スラブの手直しが不要となるので、立上り壁に防水処理用打ち込み型枠が埋設された防水層の端部処理構造を容易に構築できる。
【発明を実施するための最良の形態】
【００１７】
以下、本発明の実施形態を図面に基づいて説明する。図１〜図６において、Ａは、内面に図６、図７で示した防水処理用打ち込み型枠Ｂを取り付ける屋上浮き型枠１の足元固定用打ち込み型枠の一例を示す。
【００１８】
この足元固定用打ち込み型枠Ａは、平面視方形状で、縦断面形状が屋上浮き型枠１の内面に当接可能な垂直板部２とその下端から内側に直角に折れ曲った水平板部３とからなるＬ字状を呈する。前記垂直板部２には屋上浮き型枠１の下端部を着脱自在に取り付けるための水平な長孔状の固定具挿入用横孔４ａが形成され、前記水平板部３には当該水平板部３を屋上スラブ用型枠５に固定するための固定具挿入用縦孔４ｂが形成されている。屋上浮き型枠１、屋上スラブ用型枠５、内側型枠６は合板製であるが、足元固定用打ち込み型枠Ａは防水処理用打ち込み型枠Ｂと同様にガラス繊維補強セメント（ＧＲＣ）を素材とする成形品である。
【００１９】
前記防水処理用打ち込み型枠Ｂは、図６に示した通り、平面視方形状で、図７に示した通り、縦断面形状に於いて、水平上壁７と、その内奥部から下方へ垂下される垂下壁８と、この垂下壁８下端から前方へ下端ほど低位となる傾斜壁９とを一体に備えている。前記垂下壁８にはセパレータ貫通孔１０が所定間隔を置いて形成され、前記水平上壁７の前端部下面には水切り目地１１が凹入形成され、更にこの水平上壁７の上面には、その前端から奥部全長の三分の一に当たる部位が前端ほど下位となる傾斜面７ａに形成されている。また、この水平上壁７の上面には、前記傾斜面７ａの後端縁から最奥部にわたる位置に上方に向かって一体に立ち上げられた不等辺台形状の凸部１２が一体に設けられている。傾斜壁９の四隅外面には、防水シートを施すに当たって、これを施し易くするために面取り９ａが施されている。
【００２０】
次に、前記足元固定用打ち込み型枠Ａを用いた防水層の端部処理構造の構築方法につい
て説明する。
【００２１】
先ず、図２に示すように、屋上スラブの補強鉄筋１３及び立上り壁の補強鉄筋１４を配筋した後、屋上スラブ用型枠５に内側型枠６を立設し、内側型枠６の外側には、内面に前記防水処理用打ち込み型枠Ｂがセパレータ１５ａとフォームタイ１６ａで取り付けられた平面視方形状の屋上浮き型枠１を配置する。屋上浮き型枠１はセパレータ１５ｂとフォームタイ１６ｂで内側型枠６に支持させると共に、屋上浮き型枠１の下端部を前記足元固定用打ち込み型枠Ａの垂直板部２に短寸のセパレータからなる固定具１７によって締付け固定し、且つ、足元固定用打ち込み型枠Ａの水平板部３を固定具挿入用縦孔４ｂに挿入された上下方向のセパレータからなる固定具１８によって屋上スラブ用型枠５にスラブ厚に対応する間隔を隔てて取り付ける。
【００２２】
この状態においては、屋上浮き型枠１は内側型枠６に支持されるだけでなく、屋上浮き型枠１の下端部に連結した足元固定用打ち込み型枠Ａの水平板部３を固定具挿入用縦孔４ｂに挿入された上下方向のセパレータからなる固定具１８によって屋上スラブ用型枠５に支持させた状態に取り付けられているので、屋上浮き型枠１は上方からの荷重に対して安定した状態に支持されることになる。
【００２３】
この状態で、図３に示すように、屋上スラブＣ用のコンクリート１９と立上り壁Ｄ用のコンクリート１９とを同時に打設し、当該コンクリート１９の硬化後、図４に示すように、防水処理用打ち込み型枠Ｂと足元固定用打ち込み型枠Ａを残して脱型する。即ち、図４に示すように、屋上浮き型枠１を足元固定用打ち込み型枠Ａから取り外して、防水処理用打ち込み型枠Ｂを露出させ、立上り壁Ｄの外面に、アゴの下方空間に相当する防水層端部処理用の凹入部２０を形成する。
【００２４】
しかる後、図５に示すように、モルタルのコテ押え等による表面仕上げ２１を行い、図６に示すように、屋上スラブＣに敷設した防水シートからなる防水層２２の立上り部を防水処理用打ち込み型枠Ｂの傾斜壁９の表面から更に垂下壁８の表面を覆うように設置した後、防水層の立上り部の端縁を垂下壁８の上端と水平上壁７の内奥部の下面との隅角部にシール材２３で水密状態に固定処理することによって、防水層の端部処理構造を構築するのである。
【００２５】
以上の通り、屋上スラブＣ及び立上り壁Ｄのコンクリート１９が硬化した後、足元固定用打ち込み型枠Ａを残置させた状態で屋上浮き型枠１を解体撤去するので、屋上浮き型枠１としては、下端を予め排水勾配に合わせて傾斜させた形状に作製しなくても、立上り壁Ｄと屋上スラブＣとの角部の水上側に型枠跡の溝が形成されず、屋上スラブＣの手直しが不要となる。
【図面の簡単な説明】
【００２６】
【図１】本発明に係る屋上浮き型枠の足元固定用打ち込み型枠の外観斜視図である。
【図２】図１に示される足元固定用打ち込み型枠を用いた防水層の端部処理構造の構築状況の説明図である。
【図３】図２に続く構築状況の説明図である。
【図４】図３に続く構築状況の説明図である。
【図５】図４に続く構築状況の説明図である。
【図６】図１に示される足元固定用打ち込み型枠を用いた防水層の端部処理構造の完成図である。
【図７】防水処理用打ち込み型枠の外観斜視図である。
【図８】防水処理用打ち込み型枠の縦断面図である。
【図９】図７に示される防水処理用打ち込み型枠を用いた防水層の端部処理構造の構築状況の説明平面図である。
【図１０】図９における要部の縦断面図である。
【図１１】図７に示される防水処理用打ち込み型枠を用いた防水層の端部処理構造の完成図である。
【図１２】図７に示される防水処理用打ち込み型枠を用いた防水層の端部処理構造の構築方法における問題点の説明図である。
【図１３】図７に示される防水処理用打ち込み型枠を用いた防水層の端部処理構造の構築方法における問題点を説明する縦断面図である。
【符号の説明】
【００２７】
Ａ  足元固定用打ち込み型枠
Ｂ  防水処理用打ち込み型枠
Ｃ  屋上スラブ
Ｄ  立上り壁
Ｅ  溝
１  屋上浮き型枠
２  垂直板部
３  水平板部
４ａ  固定具挿入用横孔
４ｂ  固定具挿入用縦孔
５  屋上スラブ用型枠
６  内側型枠
７  水平上壁
７ａ  傾斜面部
８  垂下壁
９  傾斜壁
９ａ  面取り
１０  セパレータ貫通孔
１１  水切り目地
１２  凸部
１３  屋上スラブの補強鉄筋
１４  立上り壁の補強鉄筋
１５ａ、１５ｂ  セパレータ
１６ａ、１６ｂ  フォームタイ
１７  固定具
１８  固定具
１９  コンクリート
２０  凹入部
２１  表面仕上げ
２２  防水層
２３  シール材
【図１】
2010144389.tif 000003
【図２】
2010144389.tif 000004
【図３】
2010144389.tif 000005
【図４】
2010144389.tif 000006
【図５】
2010144389.tif 000007
【図６】
2010144389.tif 000008
【図７】
2010144389.tif 000009
【図８】
2010144389.tif 000010
【図９】
2010144389.tif 000011
【図１０】
2010144389.tif 000012
【図１１】
2010144389.tif 000013
【図１２】
2010144389.tif 000014
【図１３】
2010144389.tif 000015